(57)【特許請求の範囲】
【請求項１】
ＬＥＤランプであって、
ハウジングと、
前記ハウジング内に配置されかつ電力源へ電気的に接続するように構成された駆動回路と、
前記ハウジングへ接続されたサポート上に取り付けられた複数のＬＥＤダイであって、前記複数のＬＥＤダイはそれぞれ、前記駆動回路へ電気的に接続されかつ前記駆動回路によって駆動される、複数のＬＥＤダイと、
前記駆動回路へ電気的に接続されて、複数の光出力構成のうちの１つの内部のＬＥＤダイを駆動するように前記駆動回路をプログラムする出力選択コントローラと、
を含み、
前記複数の光出力構成は、睡眠前構成および一般的な照明構成を含み、
前記睡眠前構成において、前記駆動回路は、前記ダイから放出される放射力の比が、ミントＬＥＤダイから生成される放射力が約１ワットであり、赤色／オレンジ色ＬＥＤダイから生成される放射力が約０．８ワットであり、シアンＬＥＤダイから生成される放射力が約０．３ワットとなるように、前記複数のＬＥＤダイを駆動する、ＬＥＤランプ。
【請求項２】
前記複数のＬＥＤダイに含まれるミントダイのパワースペクトルは、４６０〜４９０ｎｍ領域においてノッチまたは溝部を有する、請求項１に記載のＬＥＤランプ。
【請求項３】
ＬＥＤミントダイパワースペクトルは、約４７０〜４７５ｎｍまたはその近隣において最小中心を有するノッチまたは溝部を有する、請求項１に記載のＬＥＤランプ。
【請求項４】
ミントダイによって示されるパワースペクトルにおいて、４７０〜４８０ｎｍ範囲における放射力の最大強度は、前記ダイのピーク強度の約２．５％未満である、請求項１に記載のＬＥＤランプ。
【請求項５】
前記複数のＬＥＤダイは、赤色／オレンジ色ＬＥＤダイ、シアンＬＥＤダイ、ミントＬＥＤダイおよび青色ＬＥＤダイを含む、請求項１に記載のＬＥＤランプ。
【請求項６】
前記複数のＬＥＤダイにおいて、赤色／オレンジ色ＬＥＤダイ、シアンＬＥＤダイ、ミントＬＥＤダイおよび青色ＬＥＤダイそれぞれの間の比は２：３：３：３である、請求項１に記載のＬＥＤランプ。
【請求項７】
前記複数のＬＥＤダイは、２つの赤色ＬＥＤダイ、３つのシアンＬＥＤダイ、３つのミントＬＥＤダイおよび３つの青色ＬＥＤダイを含む、請求項１に記載のＬＥＤランプ。
【請求項８】
前記複数の光出力構成は、位相シフト構成を含む、請求項１に記載のＬＥＤランプ。
【請求項９】
前記一般的な照明構成において、前記駆動回路は、前記ダイから放出される放射力の比が、ミントＬＥＤダイから生成される放射力が約１ワットであり、赤色／オレンジ色ＬＥＤダイから生成される放射力が約０．２ワットであり、青色ＬＥＤダイから生成される放射力が約０．２ワットとなるように、前記複数のＬＥＤダイを駆動する、請求項１に記載のＬＥＤランプ。
【請求項１０】
前記位相シフト構成において、前記駆動回路は、前記ダイから放出される放射力の比が、ミントＬＥＤダイから生成される放射力が約１ワットであり、赤色／オレンジ色ＬＥＤダイから生成される放射力が約０．１ワットであり、青色ＬＥＤダイから生成される放射力が約０．５ワットであるように、前記複数のＬＥＤダイを駆動する、請求項８に記載のＬＥＤランプ。
【請求項１１】
前記ＬＥＤランプは、演色評価数が７０を超える、生物学的に調節された光出力を生成するように、調節可能である、請求項１に記載のＬＥＤランプ。
【請求項１２】
前記出力選択コントローラは、ユーザが前記光出力構成を選択することを可能にするユーザ入力インターフェースを含む、請求項１に記載のＬＥＤランプ。
【請求項１３】
前記光出力構成の選択において考慮される入力変数を提供するように前記出力選択コントローラへ電気的に接続された入力センサー、
をさらに含む、請求項１に記載のＬＥＤランプ。
【請求項１４】
前記入力センサーは熱センサーであり、前記入力変数は、周辺温度、サポート温度、ＬＥＤダイ温度、ハウジング温度およびその任意の組み合わせからなる群から選択される、請求項１３に記載のＬＥＤランプ。
【請求項１５】
前記入力センサーは光センサーであり、前記入力変数は、前記ランプから生成される光出力、周辺光、日中光サイクル、およびその任意の組み合わせからなる群から選択される、請求項１３に記載のＬＥＤランプ。
【請求項１６】
前記入力センサーはＧＰＳチップを含み、前記入力変数は、前記ランプの位置、予測される周辺光、実際の周辺光、日中光サイクル、季節の光サイクル変動、時刻、およびその任意の組み合わせからなる群から選択される、請求項１３に記載のＬＥＤランプ。
【請求項１７】
前記睡眠前構成において、前記駆動回路は、可視スペクトル出力範囲約３８０ｎｍ〜約４８５ｎｍにおける青色出力強度レベルが、約４８５ｎｍを超える可視スペクトル出力中の他の任意のピークの相対的スペクトルパワーの約１０％を下回るように、前記複数のＬＥＤダイを駆動する、請求項１に記載のＬＥＤランプ。
【請求項１８】
前記位相シフト構成において、前記駆動回路は、可視スペクトル出力範囲約４５５ｎｍ〜約４８５ｎｍにおける青色出力強度レベルが、約４８５ｎｍを超える可視スペクトル出力中の他の任意のピークの相対的スペクトルパワーの約１２５％を超えるように、前記複数のＬＥＤダイを駆動する、請求項８に記載のＬＥＤランプ。
【請求項１９】
前記位相シフト構成において、前記駆動回路は、可視スペクトル出力範囲約４５５ｎｍ〜約４８５ｎｍにおける青色出力強度レベルが、約４８５ｎｍを超える可視スペクトル出力中の他の任意のピークの相対的スペクトルパワーの約１５０％〜２５０％に収まるように、前記複数のＬＥＤダイを駆動する、請求項８に記載のＬＥＤランプ。
【請求項２０】
前記ランプの演色評価数は８０を超える、請求項１に記載のＬＥＤランプ。
【請求項２１】
前記一般的な照明構成において、前記駆動回路は、可視スペクトル出力範囲約３８０ｎｍ〜約４８５ｎｍにおける青色出力強度レベルが、約約４８５ｎｍを超える可視スペクトル出力中の他の任意のピークの相対的スペクトルパワーの１００％〜約２０％に収まるように、前記複数のＬＥＤダイを駆動する、請求項１に記載のＬＥＤランプ。
【請求項２２】
前記ランプの演色評価数は９０を超える、請求項５に記載のＬＥＤランプ。
【請求項２３】
前記睡眠前構成において、前記駆動回路は、約９５０ｍＡの電流がミントＬＥＤダイへ送達され、約１，０００ｍＡの電流が赤色／オレンジ色ＬＥＤダイへ送達され、約６５ｍＡの電流がシアンＬＥＤダイへ送達され、約３０ｍＡの電流が青色ＬＥＤダイへ送達されるように、前記複数のＬＥＤダイを駆動する、請求項１に記載のＬＥＤランプ。
【請求項２４】
前記複数の光出力構成は位相シフト構成を含み、前記位相シフト構成において、前記駆動回路は、約９５０ｍＡの電流がミントＬＥＤダイへ送達され、約１５０ｍＡの電流が赤色ＬＥＤダイへ送達され、約２３５ｍＡの電流がシアンＬＥＤダイへ送達され、約５２５ｍＡの電流が青色ＬＥＤダイへ送達されるように、前記複数のＬＥＤダイを駆動する、請求項９に記載のＬＥＤランプ。
【請求項２５】
前記一般的な照明構成において、前記駆動回路は、約５００ｍＡの電流がミントＬＥＤダイへ送達され、約２５０ｍＡの電流が赤色ＬＥＤダイへ送達され、約２１０ｍＡの電流がシアンＬＥＤダイへ送達され、約１９０ｍＡの電流が青色ＬＥＤダイへ送達されるように、前記複数のＬＥＤダイを駆動する、請求項１に記載のＬＥＤランプ。
【請求項２６】
演色評価数が７０を超える、生物学的に調節された光出力を生成する、調節可能なＬＥＤランプであって、
ベースと、
前記ベースへ取り付けられたハウジングと、
前記ハウジング内に配置されかつおよび前記ベースへ取り付けられた導線を有する電力回路と、
前記ハウジング内に配置されかつ前記電力回路へ電気的に接続された駆動回路と、
前記ハウジングの周囲に配置されたヒートシンクと、
前記ハウジングへ接続されたサポート上に取り付けられた複数のＬＥＤダイであって、前記複数のＬＥＤダイはそれぞれ、前記駆動回路へ電気的に接続されかつ前記駆動回路によって駆動され、前記複数のＬＥＤダイは、２つの赤色／オレンジ色ＬＥＤダイ、３つのシアンＬＥＤダイ、３つのミントＬＥＤダイおよび３つの青色ＬＥＤダイ間の比を含む、複数のＬＥＤダイと、
前記駆動回路へ電気的に接続されて、複数の光出力構成のうちの１つの内部のＬＥＤダイを駆動するように前記駆動回路をプログラムする出力選択コントローラであって、前記複数の光出力構成は、睡眠前構成、位相シフト構成および一般的な照明構成を含む、出力選択コントローラと、
を含む、調節可能なＬＥＤランプ。
【請求項２７】
前記出力選択コントローラは、ユーザが前記光出力構成を選択することを可能にするユーザ入力インターフェースを含む、請求項２６に記載の調節可能なＬＥＤランプ。
【請求項２８】
前記光出力構成の選択において考慮される入力変数を提供するように前記出力選択コントローラへ電気的に接続された入力センサーをさらに含む、請求項２６に記載の調節可能なＬＥＤランプ。
【請求項２９】
前記入力センサーは熱センサーであり、前記入力変数は、周辺温度、サポート温度、ＬＥＤダイ温度、ハウジング温度および任意の組み合わせからなる群から選択される、請求項２８に記載の調節可能なＬＥＤランプ。
【請求項３０】
前記入力センサーは光センサーであり、前記入力変数は、前記ランプから生成される光出力、周辺光、日中光サイクル、およびその任意の組み合わせからなる群から選択される、請求項２８に記載の調節可能なＬＥＤランプ。
【請求項３１】
前記入力センサーはＧＰＳチップを含み、前記入力変数は、前記ランプの位置、予測される周辺光、実際の周辺光、日中光サイクル、季節の光サイクル変動、時刻、およびその任意の組み合わせからなる群から選択される、請求項２８に記載の調節可能なＬＥＤランプ。
【請求項３２】
前記睡眠前構成において、前記駆動回路は、可視スペクトル出力範囲約３８０ｎｍ〜約４８５ｎｍにおける青色出力強度レベルが約４８５ｎｍを超える可視スペクトル出力中の他の任意のピークの相対的スペクトルパワーの約１０％を下回るように、前記複数のＬＥＤダイを駆動する、請求項２６に記載の調節可能なＬＥＤランプ。
【請求項３３】
前記位相シフト構成において、前記駆動回路は、可視スペクトル出力範囲約４５５ｎｍ〜約４８５ｎｍにおける青色出力強度レベルが、約４８５ｎｍを超える可視スペクトル出力中の他の任意のピークの相対的スペクトルパワーの約１２５％を上回るように、前記複数のＬＥＤダイを駆動する、請求項２６に記載の調節可能なＬＥＤランプ。
【請求項３４】
前記位相シフト構成において、前記駆動回路は、可視スペクトル出力範囲約４５５ｎｍ〜約４８５ｎｍにおける青色出力強度レベル、約４８５ｎｍを超える可視スペクトル出力中の他の任意のピークの相対的スペクトルパワーの約１５０％〜２５０％内に収まるように、前記複数のＬＥＤダイを駆動する、請求項２６に記載の調節可能なＬＥＤランプ。
【請求項３５】
前記演色評価数は、８０を超える、請求項３３に記載の調節可能なＬＥＤランプ。
【請求項３６】
前記一般的な照明構成において、前記駆動回路は、約３８０ｎｍ〜約４８５ｎｍの可視スペクトル出力範囲における青色出力強度レベルが、約４８５ｎｍを超える可視スペクトル出力中の他の任意のピークの相対的スペクトルパワーの約１００％〜約２０％内に収まるように、前記複数のＬＥＤダイを駆動する、請求項２６に記載の調節可能なＬＥＤランプ。
【請求項３７】
前記演色評価数は、８５を超える、請求項３５に記載の調節可能なＬＥＤランプ。
【請求項３８】
前記睡眠前構成における前記演色評価数は７０を超え、前記一般的な照明構成における前記演色評価数は８５を超え、前記位相シフト構成における前記演色評価数は８０を超える、請求項２６に記載の調節可能なＬＥＤランプ。
【請求項３９】
前記睡眠前構成において、前記駆動回路は、前記ダイから放出される放射力の比が前記ミントＬＥＤダイから生成される約１ワットの放射力と、前記赤色／オレンジ色ＬＥＤダイから生成される約０．８ワットの放射力と、前記シアンＬＥＤダイから生成される約０．３ワットの放射力との間の比となるよう、前記複数のＬＥＤダイを駆動する、請求項２６に記載の調節可能なＬＥＤランプ。
【請求項４０】
前記一般的な照明構成において、前記駆動回路は、前記ダイから放出される放射力の比が、前記ミントＬＥＤダイから生成される放射力が約１ワットとなり、前記赤色／オレンジ色ＬＥＤダイから生成される放射力が約０．２ワットとなり、前記青色ＬＥＤダイから生成される放射力が約０．２ワットとなるように、前記複数のＬＥＤダイを駆動する、請求項２６に記載の調節可能なＬＥＤランプ。
【請求項４１】
前記位相シフト構成において、前記駆動回路は、前記ダイから放出される放射力の比が、前記ミントＬＥＤダイから生成される放射力が約１ワットとなり、前記赤色／オレンジ色ＬＥＤダイから生成される放射力が約０．１ワットとなり、前記青色ＬＥＤダイから生成される放射力が約０．５ワットとなるように、前記複数のＬＥＤダイを駆動する、請求項２６に記載の調節可能なＬＥＤランプ。
【請求項４２】
前記睡眠前構成において、前記駆動回路は、約０．６ワットの放射力が前記ミントＬＥＤダイによって生成され、約０．５ワットの放射力が前記赤色／オレンジ色ＬＥＤダイによって生成され、約０．２ワットの放射力が前記シアンＬＥＤダイによって生成されるように、前記複数のＬＥＤダイを駆動する、請求項２６に記載の調節可能なＬＥＤランプ。
【請求項４３】
前記一般的な照明構成において、前記駆動回路は、約１．９ワットの放射力が前記ミントＬＥＤダイによって生成され、約０．３ワットの放射力が前記赤色／オレンジ色ＬＥＤダイによって生成され、約０．４ワットの放射力が前記シアンＬＥＤダイによって生成され、約０．４ワットの放射力が前記青色ＬＥＤダイによって生成されるように、前記複数のＬＥＤダイを駆動する、請求項２６に記載の調節可能なＬＥＤランプ。
【請求項４４】
前記位相シフト構成において、前記駆動回路は、約１．７ワットの放射力が前記ミントＬＥＤダイによって生成され、約０．２ワットの放射力が前記赤色／オレンジ色ＬＥＤダイによって生成され、約０．９ワットの放射力が前記青色ＬＥＤダイによって生成されるように、前記複数のＬＥＤダイを駆動する、請求項２６に記載の調節可能なＬＥＤランプ。
【請求項４５】
前記睡眠前構成において、前記駆動回路は、約９５０ｍＡの電流が前記ミントＬＥＤダイへ送達され、約１，０００ｍＡの電流が前記赤色／オレンジ色ＬＥＤダイへ送達され、約６５ｍＡの電流が前記シアンＬＥＤダイへ送達されるように、前記複数のＬＥＤダイを駆動する、請求項２６に記載の調節可能なＬＥＤランプ。
【請求項４６】
前記位相シフト構成において前記駆動回路は、約９５０ｍＡの電流が前記ミントＬＥＤダイへ送達され、約１５０ｍＡの電流が前記赤色／オレンジ色ＬＥＤダイへ送達され、約２３５ｍＡの電流が前記シアンＬＥＤダイへ送達され、約５２５ｍＡの電流が前記青色ＬＥＤダイへ送達されるように、前記複数のＬＥＤダイを駆動する、請求項２６に記載の調節可能なＬＥＤランプ。
【請求項４７】
前記一般的な照明構成において、前記駆動回路は、約５００ｍＡの電流が前記ミントＬＥＤダイへ送達され、約２５０ｍＡの電流が前記赤色／オレンジ色ＬＥＤダイへ送達され、約２１０ｍＡの電流が前記シアンＬＥＤダイへ送達され、約１９０ｍＡの電流が前記青色ＬＥＤダイへ送達されるように、前記複数のＬＥＤダイを駆動する、請求項２６に記載の調節可能なＬＥＤランプ。
【請求項４８】
ミントダイによって生成されるパワースペクトルは、４６０−４９０ｎｍ領域においてノッチまたは溝部を有する、請求項２６に記載の調節可能なＬＥＤランプ。
【請求項４９】
前記ミントダイのパワースペクトルは、約４７０〜４７５ｎｍまたはその近隣において最小中心を有するノッチまたは溝部を有する、請求項４８に記載の調節可能なＬＥＤランプ。
【請求項５０】
ミントダイによって示されるパワースペクトルにおいて、４７０〜４８０ｎｍ範囲における放射力の最大強度は、前記ダイのピーク強度の約２．５％未満である、請求項２６に記載の調節可能なＬＥＤランプ。
【請求項５１】
ミントダイによって示されるパワースペクトルにおいて、４６０〜４９０ｎｍ範囲における放射力の最大強度は、前記ダイのピーク強度の約５％未満である、請求項４０に記載の調節可能なＬＥＤランプ。
【請求項５２】
演色評価数が７０を超える、生物学的に調節された光出力を生成する、調節可能なＬＥＤランプの製造方法であって、
ベースをハウジングに取り付けること；前記ハウジング内の電力回路のリード線を前記ベースへ電気的に接続すること；前記ハウジング内に配置された駆動回路を前記電力回路へ電気的に接続することと、
複数のＬＥＤダイそれぞれが前記駆動回路へ電気的に接続されかつ前記駆動回路によって駆動されるように、前記ハウジングへ接続されたサポート上へ前記複数のＬＥＤダイを取り付けることであって、前記複数のＬＥＤダイは、２つの赤色／オレンジ色ＬＥＤダイ、３つのシアンＬＥＤダイ、３つのミントＬＥＤダイおよび３つの青色ＬＥＤダイを含む、ことと、
複数の光出力構成のうちの１つの内部のＬＥＤダイを駆動するように前記駆動回路を構成することであって、前記複数の光出力構成は、睡眠前構成、位相シフト構成および一般的な照明構成を含む、ことと、
を含む、方法。
【請求項５３】
前記睡眠前構成、前記方法は、可視スペクトル出力範囲約３８０ｎｍ〜約４８５ｎｍにおける青色出力強度レベルが、約４８５ｎｍを超える可視スペクトル出力中の他の任意のピークの相対的スペクトルパワーの約１０％を下回るように、前記複数のＬＥＤダイを駆動するように前記駆動回路を構成することをさらに含む、請求項５２に記載の方法。
【請求項５４】
前記位相シフト構成において、前記方法は、可視スペクトル出力範囲約４５５ｎｍ〜約４８５ｎｍにおける青色出力強度レベルが、約４８５ｎｍを超える可視スペクトル出力中の他の任意のピークの相対的スペクトルパワーの約１２５％を上回るように、前記複数のＬＥＤダイを駆動するように前記駆動回路を構成することをさらに含む、請求項５２に記載の方法。
【請求項５５】
前記一般的な照明構成において、前記方法は、可視スペクトル出力範囲約３８０ｎｍ〜約４８５ｎｍにおける青色出力強度レベルが、約４８５ｎｍを超える可視スペクトル出力中の他の任意のピークの相対的スペクトルパワーの約１００％〜約２０％内に収まるように、前記複数のＬＥＤダイを駆動するように前記駆動回路を構成することをさらに含む、請求項５２に記載の方法。
【請求項５６】
前記方法は、前記睡眠前構成において、前記ダイから放出される放射力の比が前記ミントＬＥＤダイから生成される放射力が約１ワットであり、前記赤色／オレンジ色ＬＥＤダイから生成される放射力が約０．８ワットであり、前記シアンＬＥＤダイから生成される放射力が約０．３ワットとなるように、前記複数のＬＥＤダイを駆動するように前記駆動回路を構成することをさらに含む、請求項５２に記載の方法。
【請求項５７】
前記方法は、前記一般的な照明構成において、前記ダイから放出される放射力の比が、前記ミントＬＥＤダイから生成される放射力が約１ワットであり、前記赤色／オレンジ色ＬＥＤダイから生成される放射力が約０．２ワットであり、前記青色ＬＥＤダイから生成される放射力が約０．２ワットとなるように、前記複数のＬＥＤダイを駆動するように前記駆動回路を構成することをさらに含む、請求項５２に記載の方法。
【請求項５８】
前記ダイから放出される放射力の比が、前記ミントＬＥＤダイから生成される放射力が約１ワットであり、前記赤色／オレンジ色ＬＥＤダイから生成される放射力が約０．１ワットであり、前記青色ＬＥＤダイから生成される放射力が約０．５ワットとなるように、前記複数のＬＥＤダイを駆動するように前記駆動回路を構成することをさらに含む、請求項５２に記載の方法。
【請求項５９】
前記睡眠前構成において、前記方法は、約９５０ｍＡの電流が前記ミントＬＥＤダイへ送達され、約１，０００ｍＡの電流が前記赤色／オレンジ色ＬＥＤダイへ送達され、約６５ｍＡの電流が前記シアンＬＥＤダイへ送達されるように、前記複数のＬＥＤダイを駆動するように前記駆動回路を構成することをさらに含む、請求項５２に記載の方法。
【請求項６０】
前記位相シフト構成において、前記方法は、約９５０ｍＡの電流が前記ミントＬＥＤダイへ送達され、約１５０ｍＡの電流が赤色ＬＥＤダイへ送達され、約２３５ｍＡの電流が前記シアンＬＥＤダイへ送達され、約５２５ｍＡの電流が前記青色ＬＥＤダイへ送達されるように、前記複数のＬＥＤダイを駆動するように前記駆動回路を構成することをさらに含む、請求項５２に記載の方法。
【請求項６１】
前記一般的な照明構成において、前記方法は、約５００ｍＡの電流が前記ミントＬＥＤダイへ送達され、約２５０ｍＡの電流が赤色ＬＥＤダイへ送達され、約２１０ｍＡの電流が前記シアンＬＥＤダイへ送達され、約１９０ｍＡの電流が前記青色ＬＥＤダイへ送達されるように、前記複数のＬＥＤダイを駆動するように前記駆動回路を構成することをさらに含む、請求項５２に記載の方法。
【請求項６２】
ＬＥＤランプであって、
ハウジングと、
前記ハウジング内に配置されかつ電力源へ電気的に接続するように構成された駆動回路と、
前記ハウジングへ接続されたサポート上に取り付けられた複数のＬＥＤダイであって、前記複数のＬＥＤダイはそれぞれ、前記駆動回路へ電気的に接続されかつ前記駆動回路によって駆動され、前記駆動回路は、前記複数のＬＥＤダイのうち少なくとも一部を駆動して睡眠前照明スペクトルを生成し、可視スペクトル出力範囲約３８０ｎｍ〜約４８５ｎｍにおける青色出力強度レベルは、約４８５ｎｍを超える可視スペクトル出力中の他の任意のピークの相対的スペクトルパワーの約１０％を下回る、複数のＬＥＤダイと、
を含み、
前記複数のＬＥＤダイに含まれるミントダイのパワースペクトルは、４６０−４９０ｎｍ領域においてノッチまたは溝部を有する、ＬＥＤランプ。
【請求項６３】
ＬＥＤランプであって、
ハウジングと、
前記ハウジング内に配置されかつ電力源へ電気的に接続するように構成された駆動回路と、
前記ハウジングへ接続されたサポート上に取り付けられた複数のＬＥＤダイであって、前記複数のＬＥＤダイはそれぞれ、前記駆動回路へ電気的に接続されかつ前記駆動回路によって駆動され、前記駆動回路は、前記複数のＬＥＤダイのうち少なくとも一部を駆動して睡眠前照明スペクトルを生成し、可視スペクトル出力範囲約３８０ｎｍ〜約４８５ｎｍにおける青色出力強度レベルは、約４８５ｎｍを超える可視スペクトル出力中の他の任意のピークの相対的スペクトルパワーの約１０％を下回る、複数のＬＥＤダイと、
を含み、
ＬＥＤミントダイパワースペクトルは、約４７０〜４７５ｎｍまたはその近隣において最小中心を有するノッチまたは溝部を有する、ＬＥＤランプ。
【請求項６４】
ＬＥＤランプであって、
ハウジングと、
前記ハウジング内に配置されかつ電力源へ電気的に接続するように構成された駆動回路と、
前記ハウジングへ接続されたサポート上に取り付けられた複数のＬＥＤダイであって、前記複数のＬＥＤダイはそれぞれ、前記駆動回路へ電気的に接続されかつ前記駆動回路によって駆動され、前記駆動回路は、前記複数のＬＥＤダイのうち少なくとも一部を駆動して睡眠前照明スペクトルを生成し、可視スペクトル出力範囲約３８０ｎｍ〜約４８５ｎｍにおける青色出力強度レベルは、約４８５ｎｍを超える可視スペクトル出力中の他の任意のピークの相対的スペクトルパワーの約１０％を下回る、複数のＬＥＤダイと、
を含み、
ミントダイによって示されるパワースペクトルにおいて、４７０〜４８０ｎｍ範囲における放射力の最大強度は、前記ダイのピーク強度の約２．５％未満である、ＬＥＤランプ。
【請求項６５】
前記ランプの有効性は、約９０ルーメン／ワットを超える、請求項６２から６４のいずれか一項に記載のＬＥＤランプ。
【請求項６６】
前記複数のＬＥＤダイを少なくとも１つのさらなる光出力構成において駆動するように前記駆動回路を駆動するように前記駆動回路へ電気的に接続された出力選択コントローラをさらに含む、請求項６２から６５の何れか一項に記載のＬＥＤランプ。
【請求項６７】
前記さらなる光出力構成は、位相シフト構成および一般的な照明構成を含む、請求項６６に記載のＬＥＤランプ。
【請求項６８】
前記一般的な照明構成において、有効性は約６９ルーメン／ワットを超え、前記位相シフト構成において、前記有効性は約６３ルーメン／ワットを超え、睡眠前構成において、前記有効性は９０ルーメン／ワットを超える、請求項６７に記載のＬＥＤランプ。
【発明の詳細な説明】
【技術分野】
【０００１】
本発明は、光源に関し、より詳細には、生物学的に調節された光を生成するための、発光ダイオード（ＬＥＤ）ランプに関する。
【背景技術】
【０００２】
本明細書中記載されるのは、調節可能なおよび／または生物学的に調節された光出力を生成するためのＬＥＤランプの例示的実施形態、およびランプの製造方法である。例えば、一実施形態においてＬＥＤランプは、複数の光出力構成（例えば、睡眠前構成、位相シフト構成、および一般的な照明構成）のうちの１つにおいてＬＥＤダイを駆動するための駆動回路を含む。ＬＥＤランプは、出力選択コントローラおよび／または光出力構成を選択するように駆動回路へ電気的に接続された入力センサーをさらに含み得る。よって、ＬＥＤランプは、商業的に受容可能な光品質および演色評価数を維持しつつ、異なる生物学的状況に適した異なるレベルのスペクトル出力を生成するように調節可能である。
【０００３】
多様な態様および代替的実施形態について、以下に述べる。
【０００４】
本明細書中用いられる添付図面は、本明細書の一部を形成する。本明細書の記載と共に、図面は、本発明によるＬＥＤランプの原理を説明する機能をさらに果たし、また、関連分野（単数または複数）の当業者による本発明の作製および利用を可能にする。図面中、類似の参照符号は、同一または機能的に類似する要素を指す。
【図面の簡単な説明】
【０００５】
【図１】多色光の予測メラトニン抑制作用スペクトルと比較した場合の従来の光源の光スペクトルを示す。
【図２】本明細書中に記載される一実施形態によるＬＥＤランプの斜視図である。
【図３】図２のＬＥＤランプの分解図である。
【図４】図２のＬＥＤランプの一部の分解図である。
【図５】図２のＬＥＤランプの一部の分解図である。
【図６】図２のＬＥＤランプの一部の分解図である。
【図７】図２のＬＥＤランプの一部の分解図である。
【図８】本発明によるＬＥＤランプの模式的プロセス図である。
【図９】本明細書中において提示される一実施形態において用いられるミントＬＥＤダイの相対的放射力曲線を示す。
【図１０Ａ】本明細書中に記載される一実施形態における、ミントＬＥＤダイ使用ＩＩＩの色バイナリデータを示す。
【図１０Ｂ】本明細書中に記載される一実施形態における、ミントＬＥＤダイ使用ＩＩＩの色バイナリデータを示す。
【図１１】提示される一実施形態において赤色、シアンおよび青色ＬＥＤダイの相対的スペクトルパワー分布を示す。
【図１２】提示される別の実施形態による、ＬＥＤランプＩＩＩ睡眠前構成のパワースペクトル分布を示す。
【図１３】提示される一実施形態による位相シフト構成におけるＬＥＤランプのパワースペクトル分布を示す。
【図１４】提示される一実施形態による、一般的な照明構成におけるＬＥＤランプのＬＥＤランプを示す。
【図１５】提示される別の実施形態によるＬＥＤランプの分解図である。
【図１６】睡眠前構成におけるＬＥＤランプの別のパワースペクトル分布である。
【図１７】位相シフト構成におけるＬＥＤランプの別のパワースペクトル分布である。
【図１８】一般的な照明構成におけるＬＥＤランプの別のパワースペクトル分布である。
【発明を実施するための形態】
【０００６】
メラトニンは、夜間に松果腺から分泌されるホルモンである。メラトニンは、睡眠パターンを調節し、身体の概日リズムの維持を支援する。メラトニンが抑制された場合、睡眠障害の原因になり、概日リズムが乱れ、また、高血圧、心疾患、糖尿病および／または癌などの状態の原因にもなり得る。青色光および多色光の青色光成分は、メラトニン分泌を抑制することが分かっている。さらに、メラトニン抑制は波長に依存し、約４２０ｎｍ〜約４８０ｎｍの波長ピークに依存することが分かっている。そのため、睡眠障害または概日リズム障害に罹患している人が青色光（４２０ｎｍ−４８０ｎｍ）成分を有する多色光源を用いた場合、症状が悪化し続ける。
【０００７】
図１の曲線Ａは、メラトニン抑制の作用スペクトルを示す。曲線Ａによって示すように、波長が約４６０ｎｍであるときに、予測最大抑制が得られている。換言すれば、スペクトル成分が約４２０ｎｍ〜約４８０ｎｍである光源を用いれば、メラトニン抑制が得られることが予測される。図１はまた、従来の光源の光スペクトルを示す。例えば、曲線Ｂは、白熱光源の光スペクトルを示す。曲線Ｂから分かるように、白熱光源の場合、青色成分が少ないため、少量のメラトニン抑制しか得られ無い。曲線Ｃは、蛍光灯光源の光スペクトルを示し、大部分が青色成分で占められている。そのため、白熱光源よりも蛍光灯光源の方がメラトニン抑制の原因となることが予測される。曲線Ｄは、白色発光ダイオード（ＬＥＤ）光源の光スペクトルを示し、蛍光灯または白熱光源よりも大量の青色成分光を示す。よって、蛍光灯光源または白熱光源よりも白色ＬＥＤ光源の方がメラトニン抑制の原因となることが予測される。
【０００８】
一般的な白熱電球の代わりに蛍光灯光源（例えば、小型蛍光灯電球）および白色ＬＥＤ光源を用いた場合、睡眠障害、概日リズム障害および他の生体系障害の発症数が増加する。１つの解決法として、光源の青色成分（４２０ｎｍ〜４８０ｎｍ）全てをフィルタリング除去するシンプルな方法がある。しかし、このようなシンプルなアプローチの場合、容認できない演色特性の光源の原因となり、ユーザの明所視反応に悪影響が出る。
【０００９】
一方、一般的には光（および特に青色光）への露出に起因して、メラトニン分泌の抑制により眠気レベルが低下し得るため、光への露出を用いて、覚醒を必要なときに維持することができる。さらに、より高い青色光強度への露出により、個人の概日リズムの位相のリセットまたはシフトを支援することができる。そのため、個人の体内時計をリセットしたい場合、位相シフトは多様な状況において有用であり得る。例を以下に挙げる：大陸間移動後の時差ぼけの回避または夜勤のシフト作業者の覚醒の維持。光源の青色スペクトル成分強度の変更は、簡単なフィルタリングを通じて達成できるものの、このようなフィルタリングを行った場合、最適な照明環境が得られない。
【００１０】
そのため、本明細書中に記載されるのは、異なる光出力を生成するように調節することが可能な商業的に受容可能な演色特性を有するＬＥＤランプである。一実施形態において、光出力は、最小のメラトニン抑制を生成するため、自然な睡眠パターンおよび他の生体系への影響は最小である。ＬＥＤランプは、各場合において高い光品質および高ＣＲＩを維持しつつ、所与の状況に適した異なるレベルの青色光を生成するように調節することが可能である。ＬＥＤランプはまた、自身を要素（例えば、ランプの位置、用途、雰囲気環境）に応じて「自己調節」して、適切な光出力スペクトルを生成するようにも構成することができる。
【００１１】
提示されるＬＥＤランプによって達成することが可能な光出力状態／構成を以下に挙げる：睡眠前構成、位相シフト構成、および一般的な照明構成。睡眠前構成において、ランプは、低レベルの青色光を生成することにより、メラトニン抑制を有意に低減しつつ、適切な作業環境を提供する。睡眠前構成において、ランプによって生成される光スペクトルにより、光品質を維持しつつ、睡眠に備えるために適した環境が得られる。位相シフト構成において、ランプは、高レベルの青色光を生成することにより、メラトニン生成を大幅に低下させる。この位相シフト構成においてランプから生成される光スペクトルにより、個人の概日リズムまたは体内時計の位相をシフトさせるための環境が得られる。一般的な照明構成において、ランプは、典型的な光スペクトル（例えば、日光）に基づいた通常レベルの青色光を生成する。しかし、全ての状態において、ランプは、適切な作業環境を提供するために、高表示品位およびＣＲＩを維持する。
【００１２】
一実施形態において、異なる色のＬＥＤダイの特定の組み合わせを用い、ＬＥＤダイを多様な電流において駆動して所望の光出力を達成することにより、光出力を微調整または調節する能力が提供される。一実施形態において、ＬＥＤランプは、赤色、青色、シアン、およびミントＬＥＤダイの組み合わせを用いることにより、高品質光および高ＣＲＩを維持しつつ、所望の光出力を生成する。
【００１３】
以下の図面の詳細な記載において、生物学的に調節された光出力を生成するための、調節可能なＬＥＤランプの例示的実施形態を例示する添付図面を参照する。他の実施形態も可能である。本明細書中に記載の実施形態において、本発明の意図および範囲から逸脱することなく、変更が可能である。よって、以下の詳細な説明は、限定的なものではない。
【００１４】
図２は、本明細書中に提示される一実施形態によるＬＥＤランプ（または電球ｂ）１００の斜視図である。一般的には、ＬＥＤランプ１００は、商業的に受容可能な色温度および商業的に受容可能な演色特性を維持しつつ、生物学的に調節された光を生成するように適切に設計される。
【００１５】
「生物学的に調節された光」という用語は、ユーザへの生物学的効果を管理するように変更された光を意味する。「生物学的効果」とは、「自然発生する機能またはプロセスに対して光源が有するあらゆる影響または変化」を意味する。生物学的効果の例を挙げると、例えば、ホルモン分泌または抑制（例えば、メラトニン抑制）、細胞機能の変化、自然なプロセスの刺激または障害、細胞突然変異または操作などがある。
【００１６】
図２に示すように、ＬＥＤランプ１００は、ベース１１０、ヒートシンク１２０および光学素子１３０を含む。以下に述べるように、ＬＥＤランプ１００は、１つ以上のＬＥＤチップおよび専用回路構成をさらに含む。
【００１７】
ベース１１０は好適には、エジソン型のねじ込受金である。ベース１１０は好適には、導電性材料（例えば、アルミニウム）によって形成される。別の実施形態において、ベース１１０は、他の導電性材料によって形成され得る（例えば、銀、銅、金、導電性合金）。内部導線（図示せず）がベース１１０へ取り付けられて、標準的照明用ソケット（図示せず）の接点として機能する。
【００１８】
当該分野において公知のように、ＬＥＤチップの耐久性は、通常は温度によって影響される。そのため、ヒートシンク１２０および均等の構造が、ＬＥＤランプ１００内のＬＥＤチップのうち１つ以上から放出される熱を放散させる手段として機能する。図２において、ヒートシンク１２０は、ヒートシンクの表面積を増加させるフィンを含む。あるいは、ＬＥＤランプ１００内のＬＥＤチップから熱を放散させるという図面の一般的意図の下、ヒートシンク１２０を任意の構成、サイズまたは形状で形成してもよい。ヒートシンク１２０は好適には、熱伝導性材料（例えば、アルミニウム、銅、スチール）によって形成される。
【００１９】
光学素子１３０は、ＬＥＤランプ１００内のＬＥＤチップを包囲するように設けられる。本明細書中において用いられる「包囲（する）」とは、部分的または全体的に封入することを意図する。換言すれば、光学素子１３０は、１つ以上のＬＥＤチップから発生する光が光学素子１３０を透過するように１つ以上のＬＥＤチップを部分的または全体的に被覆することにより、ＬＥＤチップを包囲する。図示の実施形態において、光学素子１３０は、球形形状をとる。しかし、光学素子１３０は、別の形態、形状またはサイズをとってもよい。一実施形態において、光学素子１３０は、拡散技術（例えば、米国特許第７，３１９，２９３号（本明細書中、同文献全体を参考のため援用する）を用いることにより、光拡散要素として機能する。このような実施形態において、光学素子１３０およびその均等構造は、ＬＥＤチップからの光を拡散させる手段として機能する。別の実施形態において、光学素子１３０は、光拡散プラスチックによって形成してもよいし、光拡散コーティングを含んでもよいし、あるいは拡散粒子を載置または埋設してもよい。
【００２０】
一実施形態において、光学素子１３０には、色フィルタが適用され得る。色フィルタは、光学素子１３０の内面または外面上に設けられ得る。色フィルタを用いて、ＬＥＤチップのうち１つ以上からの光出力を変更する。一実施形態において、色フィルタは、ＲＯＳＣＯＬＵＸ＃４５３０ＣＡＬ色３０ＹＥＬＬＯＷである。別の実施形態において、色フィルタは、全透過率が約７５％、厚さが約５０ミクロンとなるように構成され得、かつ／または、ポリエチレンテレフタレート（ＰＥＴ）基板上の濃染ポリエステル膜によって形成され得る。
【００２１】
さらに別の実施形態において、色フィルタは、以下の表に従って、１つ以上の波長における透過パーセンテージが＋／−１０％以内となるように構成され得る。
【表１】
0006283880.tif 000002
【００２２】
図３は、ＬＥＤランプ１００の分解図であり、ランプの内部成分を示す。図４〜図７は、ＬＥＤランプ１００の一部のの分解図である。図３〜図７は、ＬＥＤランプ１００の組み立て方法も示す。図示のように、上記した成分に加えて、ＬＥＤランプ１００はまた、ハウジング１１５、プリント基板（ＰＣＢ）１１７、１つ以上のＬＥＤチップ２００、ホルダ１２５、バネワイヤコネクタ１２７およびネジ１２９を少なくとも含む。
【００２３】
図８を参照して以下にさらに詳述するように、ＰＣＢ１１７は、専用回路構成を含む（例えば、電源４５０、駆動回路４４０、および出力選択コントローラ４４５）。ＰＣＢ１１７上の回路構成およびその均等物は、ＬＥＤチップ２００（または個々のＬＥＤダイ）を駆動して生物学的に調節された光出力を生成する手段として機能する。
【００２４】
本明細書中において用いられる、「ＬＥＤチップ（単数または複数）」という用語は、ＬＥＤダイ（単数または複数）を広範に含むことを意味し、パッケージングおよび反射体を含むかまたは含まず、（例えば、蛍光体の付加により）処理してもよいししなくてもよい。しかし、図示の実施形態において、各ＬＥＤチップ２００は、複数のＬＥＤダイを含む。一実施形態において、ＬＥＤチップ２００は、少なくとも２つの異なる色を含む複数のＬＥＤダイを含むＬＥＤパッケージを含む。このＬＥＤパッケージは、異なる電流において駆動されて、所望の光出力およびスペクトルパワー密度を生成する。好適には、各ＬＥＤチップ２００は、２つの赤色ＬＥＤダイと、３つのシアンＬＥＤダイと、４つのミントＬＥＤダイと、３つの青色ＬＥＤダイとを含む。図９は、本明細書中において提示される一実施形態において用いられるミントＬＥＤダイの相対的放射力曲線を示す。図１０Ａおよび図１０Ｂは、本明細書中において提示される一実施形態において用いられるミントＬＥＤダイの色バイナリデータを示す。図１１は、赤色（またはあるいは赤色／オレンジ色）およびシアンと、提示される一実施形態において（同様に本発明の範囲内にある別の均等物ＬＥＤダイを用いた）（２つの別の）青色ＬＥＤダイとの相対的スペクトルパワー分布を示す。このような独自のダイの組み合わせと、ＬＥＤチップの駆動手段と共に、上記した生物学的に有効な状態／構成（例えば、睡眠前、位相シフトおよび／または一般的な照明）それぞれを良好な演色特性と共に得ることができる。
【００２５】
一実施形態において、調節可能なＬＥＤランプが睡眠前構成において動作する場合、ダイから放出される放射力は、ミントＬＥＤダイから生成される放射力が約１ワットであり、赤色／オレンジ色ＬＥＤダイから生成される放射力が約０．５ワットであり、かつシアンＬＥＤダイから生成される放射力が約０．１ワットとなるような比率にされる。この実施形態において、調節可能なＬＥＤランプが一般的な照明構成において動作する場合、ダイから放出される放射力は、ミントＬＥＤダイから生成される放射力が約１ワットであり、赤色／オレンジ色ＬＥＤダイから生成される放射力が約０．３ワットであり、シアンＬＥＤダイから生成される放射力が約０．４ワットであり、かつ青色ＬＥＤダイから生成される放射力が約０．２ワットとなるような比率にされる。この実施形態において、調節可能なＬＥＤランプが位相シフト構成において動作する場合、ダイから放出される放射力は、ミントＬＥＤダイから生成される放射力が約１ワットであり、赤色／オレンジ色ＬＥＤダイから生成される放射力が約０．１ワットであり、シアンＬＥＤダイから生成される放射力が約．２ワットであり、かつ青色ＬＥＤダイから生成される放射力が約０．４ワットとなるような比率にされる。
【００２６】
別の実施形態において、調節可能なＬＥＤランプが睡眠前構成において動作する場合、ダイから放出される放射力は、ミントＬＥＤダイから生成される放射力が約１ワットであり、赤色／オレンジ色ＬＥＤダイから生成される放射力が約０．８ワットであり、シアンＬＥＤダイから生成される放射力が約０．３ワットとなるような比率にされる。この実施形態において、調節可能なＬＥＤランプが一般的な照明構成において動作する場合、ダイから放出される放射力は、ミントＬＥＤダイから生成される放射力が約１ワットであり、赤色／オレンジ色ＬＥＤダイから生成される放射力が約０．２ワットであり、青色ＬＥＤダイから生成される放射力が約０．２ワットとなるような比率にされる。この実施形態において、調節可能なＬＥＤランプが位相シフト構成において動作する場合、ダイから放出される放射力は、ミントＬＥＤダイから生成される放射力が約１ワットであり、赤色／オレンジ色ＬＥＤダイから生成される放射力が約０．１ワットであり、青色ＬＥＤダイから生成される放射力が約０．５ワットとなるような比率にされる。
【００２７】
例えば、睡眠前構成を達成するには、駆動回路４４０は、可視スペクトル出力範囲約３８０ｎｍ〜約４８５ｎｍにおける青色出力強度レベルが、約４８５ｎｍを超える可視スペクトル出力における他の任意のピークの相対的スペクトルパワーの約１０％未満となるように、複数のＬＥＤダイを駆動するように構成され得る。一実施形態において、駆動回路４４０は、約１５０ｍＡの電流が４つのミントＬＥＤダイへ送達され、約３６０ｍＡの電流が２つの赤色ＬＥＤダイへ送達され、約４０ｍＡの電流が３つのシアンＬＥＤダイへ送達されるように、複数のＬＥＤダイを駆動する。上記したような色フィルタが用いられる別の実施形態において、約５１０ＭＡの電流が４ミントＬＥＤダイへ送達されるように駆動回路４４０を構成することにより、睡眠前構成が達成される。
【００２８】
位相シフト構成を達成するには、駆動回路４４０は、可視スペクトル出力範囲約４５５ｎｍ〜約４８５ｎｍにおける青色出力強度レベルが、約４８５ｎｍを超える可視スペクトル出力における他の任意のピークの相対的スペクトルパワーの約１２５％を超えるか（または約１５０％を超えるかまたは約２００％）を超えるように、複数のＬＥＤダイを駆動するように構成され得る。位相シフト構成における演色評価数は、８０を超え得る。一実施形態において、駆動回路４４０は、約５１０ｍＡの電流がミントＬＥＤダイへ送達され、約１８０ｍＡの電流が赤色ＬＥＤダイへ送達され、約４０ｍＡの電流がシアンＬＥＤダイへ送達され、約１００ｍＡの電流が青色ＬＥＤダイへ送達されるように、複数のＬＥＤダイを駆動する。
【００２９】
一般的な照明構成を達成するため、駆動回路４４０は、可視スペクトル出力範囲約３８０ｎｍ〜約４８５ｎｍにおける青色出力強度レベルが、約４８５ｎｍを超える可視スペクトル出力における他の任意のピークの相対的スペクトルパワーの約１００％〜約２０％となるように、複数のＬＥＤダイを駆動するように構成され得る。一般的な照明構成における演色評価数は、８５を超え得る。一実施形態において、駆動回路４４０は、約４５０ｍＡの電流がミントＬＥＤダイへ送達され、約２３０ｍＡの電流が赤色ＬＥＤダイへ送達され、約１１０ｍＡの電流がシアンＬＥＤダイへ送達され、約６０ｍＡの電流が青色ＬＥＤダイへ送達されるように、複数のＬＥＤダイを駆動する。
【００３０】
一実施形態において、駆動回路４４０は、２００Ｈｚを超える周波数のリップル電流と共にＬＥＤチップ２００を駆動するように、構成される。２００Ｈｚを超える周波数におけるリップル電流を選択したのは、２００Ｈｚを下回る周波数におけるリップル電流に起因して発生し得る生物学的効果を回避するためである。例えば、研究によれば、２００Ｈｚを下回る光ちらつきに敏感な人が存在し、場合によっては、頭痛および発作などを発症することが分かっている。
【００３１】
図４に示すように、ベース１１０は、ハウジング１１５へ接着またはクリンプされる。ＰＣＢ１１７は、ハウジング１１５内に取り付けられる。絶縁および／または埋め込み用樹脂（図示せず）を用いて、ＰＣＢ１１７をハウジング１１５内に固定することができる。ＰＣＢ１１７上の導線をベース１１０へと接続して、ＬＥＤランプ１００の電気入力リード線を形成する。
【００３２】
図５に示すように、ヒートシンク１２０は、ハウジング１１５の周囲に配置される。図６に示すように、２つのＬＥＤチップ２００が支持面上へ取り付けられか（または直接ヒートシンク１２０へ取り付けられ）、ホルダ１２５によって所定位置に維持される。２つのＬＥＤチップ２００が図示されているが、別の実施形態において、任意の数のＬＥＤチップ（すなわち、１つ以上の）または任意の数のＬＥＤダイを個別に取り付けてもよい。ネジ１２９を用いて、ホルダ１２５をヒートシンク１２０へ固定する。ネジ１２９は、当該分野において公知の任意のネジであり得るバネワイヤコネクタ１２７を用いて、ＬＥＤチップ２００をＰＣＢ１１７上の駆動回路４４０へ接続する。別の実施形態において、ホルダ１２５、ネジ１２９またはコネクタ１２７を用いること無く、（パッケージングを含むかまたは含まない）ＬＥＤチップ２００を直接ヒートシンク１２０へ取り付けることができる。図７に示すように、その後、光学素子１３０をヒートシンク１２０上に取り付ける。
【００３３】
図８は、本発明によるＬＥＤランプの模式的プロセス図である。図８はまた、ＰＣＢ１１７上に取り付けられるかまたはＬＥＤランプ１００と関連付けられた機能コンポーネントも示す。実際には、電源４５０を用いて、駆動回路４４０へ電力を提供する。電源４５０は、例えば、ＡＣ電力をＬＥＤダイ駆動のためのＤＣ電力へ変換し得る。駆動回路４４０は、電源４５０から電力入力を受け取り、出力選択コントローラ４４５から方向入力を受け取る。その後、駆動回路４４０は、ＬＥＤダイを駆動するための適切な電流供給を、所望のスペクトル出力に従って提供する。よって、コントローラ４４５は、要素（例えば、時刻、周辺光、リアルタイム入力、温度、光学素子出力、ランプ位置）に基づいて、ＬＥＤ２００の駆動を制御するように機能し、光出力を制御することができる。動作時において温度変動が発生した場合、個々のダイのスペクトルシフトが発生し得る。実施形態において、ＬＥＤ２００の光出力を監視するための光センサー８６０が設けられ、これにより一貫性および均一性が確保される。ＬＥＤ２００の出力を監視することにより、リアルタイムフィードバックと、各ダイの制御とが可能になり、これにより、所望の出力スペクトルが維持される。光センサー８６０を用いて、周辺光条件を特定することもできる。よって、光センサー８６０は、コントローラ４４５への入力を提供する。
【００３４】
別の実施形態において、熱センサー８５５を用いて、ＬＥＤダイの温度および／またはＬＥＤダイを支持する基板を測定する。ダイの光出力は既知の温度の関数であるため、測定温度を用いて、各ダイの光出力を決定することができる。熱センサー８５５を用いて、周辺温度条件を測定することもできる。よって、熱センサー８５５により、コントローラ４４５への入力が得られる。
【００３５】
別の実施形態において、ＧＰＳチップ８７０および／またはクロック８７５を設けて、コントローラ４４５とインターフェースをとらせる。ランプは世界中の最終目的地へ搬送されるため、予測される／実際の周辺光、日中の光サイクルおよび季節の光サイクルの変動を決定する能力は、概日リズムを刺激または変化させる光を生成し得るあらゆるランプにおいて重要である。ＧＰＳチップ８７０および／またはクロック８７５がコントローラ４４５中へ入力を提供すると、時刻、季節性および他の要素をコントローラ４４５が考慮に入れてランプ出力を相応に制御することができる。例えば、位置に基づいて時刻を知ることにより、日中の後の時間においてランプの睡眠前スペクトルを生成することができる。
【００３６】
さらに別の実施形態において、ユーザを所望の構成を選択することを可能にするためのユーザインターフェース８６５が設けられる。ユーザインターフェース８６５は、ノブ、スイッチ、デジタル入力または均等手段の形態をとり得る。よって、ユーザインターフェース８６５から、コントローラ４４５へのさらなる入力が得られる。
【００３７】
一実施形態において、睡眠前構成スペクトルは、スペクトル強度が低下した部分（例えば、ノッチ／溝部）を含む。この溝部は、約４７０ｎｍ（またはあるいは約４７０〜４８０ｎｍ、約４６０〜４８０ｎｍ、約４７０〜４９０ｎｍまたは約４６０〜４９０ｎｍ）に中心を有する。このような波長範囲は、メラトニン抑制において最も重要な貢献要素であり、最も有効であり得る。よって、睡眠前位相におけるこのような波長帯への露出を最小化すると、有効である。一実施形態において、特定の出力スペクトルを有する蛍光体コーティングミントＬＥＤを用いて睡眠前スペクトル中のノッチを達成することにより、睡眠前スペクトルへのノッチ付加が得られる。ミントＬＥＤそのものは、最小４７０〜４８０ｎｍ（または４６０−４９０ｎｍ範囲）のノッチ／溝部を含み得、これらの波長範囲の最大強度がミントＬＥＤピーク強度パーセントであることによって特徴付けられ得る（例えば、最大４７０〜４８０発光がピーク強度の約２．５％が約４６０〜４９０ｎｍの最大がピーク強度の約５％未満）。
【００３８】
再度図９を参照して、提示される一実施形態において用いられるミントＬＥＤダイの相対的放射力曲線が図示される。本明細書中において用いられる「ミントＬＥＤ」または「ミントＬＥＤダイ」または「ミントダイ」という用語は、任意のＬＥＤ源、ＬＥＤチップ、ＬＥＤダイ（ダイ上の光変換材料を含むかまたは含まない）、または図９に示す相対的放射力曲線またはその相対的放射力曲線の均等物を生成するように構成された任意の均等物光源を含むものとして解釈されるべきである。図示の相対的放射力曲線に対して特に興味深い点として、スペクトルの「ノッチ」が約４６０〜４９０ｎｍであり、より詳細には約４７０〜４８０ｎｍである点がある。スペクトルノッチにより、ピーク強度に対する相対的強度が得られ、ＬＥＤダイ（または均等な光源）の組み合わせにより、所望の結果（すなわち、所望の出力構成）を達成することが可能になる。一実施形態において、ミントＬＥＤの約４６０〜４９０ｎｍの最大強度は、ピーク強度の約５％未満である。別の実施形態において、ミントＬＥＤの約４６０〜４９０ｎｍの最大強度は、ピーク強度の約７．５％または約１０％または約１５％または約２０％未満である。さらに、一実施形態において、ミントＬＥＤの約４７０〜４８０ｎｍの最大強度は、ピーク強度の約２．５％未満である。別の実施形態において、ミントＬＥＤの約４７０〜４８０ｎｍの最大強度は、ピーク強度の約３．５％、５％、１０％または２０％である。
【００３９】
図１２、図１３および図１４は、本発明の一実施形態によるＬＥＤランプの睡眠前、位相シフト、および一般的な照明構成にそれぞれ対応するパワースペクトル分布を示す。この実施形態において、ＬＥＤランプは、シアン、ミント、赤色およびロイヤルブルーダイそれぞれの比が３：３：２：１であるＬＥＤ基板を含む。複数のダイからの放射束を以下に述べるように生成することにより、各構成によるランプのスペクトル出力を調節する。
【００４０】
図１２は、提示される別の実施形態による、ＬＥＤランプＩＩＩの睡眠前構成のパワースペクトル分布を示す。図１３に示す睡眠前構成は、３：３：２：１比のＬＥＤダイのアレイによって得られ、以下のように駆動される：（１）７．６５Ｖ、６６ｍＡ、０．１６６７９の放射束において駆動される３つのシアンＬＥＤ、（２）ＩＩ．１３Ｖ、９５ｌｍＡ、１．８７７４放射束において並列駆動される３つのミントＬＥＤ、（３）４．３７５Ｖ、９９８ｍＡ、０．９６１９９放射束において駆動される２つの赤色／オレンジ色ＬＥＤ、および（４）２．５８２Ｖ、３０ｍＡ、０．００３８５８４放射束において駆動される１つのロイヤルブルーＬＥＤ。全光束は、ｌ．０２４ｅ＋００３１ｍである。全放射束は、３．０２３ｇｅ＋０００Ｗである。主波長は、５８０．３ｎｍである。一般的なＣＲＩは８７．３０である。色温度は２８７１Ｋである。１９３１座標（２度）は、ｘ．０．４６４９、ｙ：０．４４２９である。放射ワットあたりの照明出力は、３３８ルーメン／放射ワットである。
【００４１】
図１３は、提示される一実施形態による、位相シフト構成におけるＬＥＤランプのパワースペクトル分布を示す。図１４に示す位相シフト構成は、３：３：２：１比におけるＬＥＤダイアレイによって生成され、以下のように駆動される：（１）３つのシアンＬＥＤが８．１９Ｖ、２３５ｍＡ、０．４７２３３放射束において駆動され、（２）３つのミントＬＥＤが１１．１４Ｖ、９５０ｍＡ、１．９０４７放射束において並列駆動され、（３）２つの赤色／オレンジ色ＬＥＤが３．７４５Ｖ、１４７ｍＡ、０．１８４５放射束において駆動され、（４）１つのロイヤルブルーＬＥＤが２．８０２Ｖ、５２５ｍＡ、０．６９０９３放射束において駆動される。全光束は、９．８７ｇｅ＋００２１ｍである。全放射束は、３．２１３８ｅ＋０００Ｗである。主波長は、４９５．６ｎｍである。ピーク波長は、４４９．７ｎｍである。一般的なＣＲＩは、８７．４２である。色温度は、６、５９９Ｋである。１９３１座標（２度）は、ｘ：０．３０９２、ｙ：０．３４０６である。放射ワット毎の照明出力は、３０７ルーメン／放射ワットである。
【００４２】
別の実施形態において、位相シフト構成において、４５５ｎｍ〜４８５ｎｍ範囲における青色成分の強度レベルは好適には、４８５ｎｍを超える可視光スペクトルにおける他の任意のピークの相対的スペクトルパワーの約１２５％であるを超える。別の実施形態において、４５５ｎｍ〜４８５ｎｍ範囲における青色成分は好適には、４８５ｎｍを超える可視光スペクトルにおける他の任意のピークの相対的スペクトルパワー約１５０％を超え得るか、または約１７５％を超え得るか、または約２００％を超え得るか、または約２５０％を超え得るか、または約３００％を超え得る。演色評価数は好適には、８０を超える。ダイのうち１つ以上の放射束を変更することにより（例えば、ダイから引き出される電流を変更することにより）、４８５ｎｍを超える他のスペクトルピークに相対する青色成分の強度を、所望のレベルへ調節することができる。
【００４３】
図１４は、提示される一実施形態による、一般的な照明構成におけるＬＥＤランプのパワースペクトル分布を示す。図１５に示す一般的な照明構成は、３：：３：２：１比のＬＥＤダイアレイによって生成され、以下のように駆動される：（１）３つのシアンＬＥＤが８．２２Ｖ、２１１ｍＡ、０．４４５０７放射束において駆動され、（２）３つのミントＬＥＤが１０．０６Ｖ、４９９ｍＡ、１．１４９９放射束において並列駆動され、（３）２つの赤色／オレンジ色ＬＥＤが３．９０２Ｖ、２５４ｍＡ、０．３４３４３放射束において駆動され、（４）１つの青色ＬＥＤが２．７１２Ｖ、１９０ｍＡ、０．２７２８０放射束において駆動される。全光束は、７．１９２ｅ＋００２１ｍである。全放射束は、２．２２４８ｅ＋０００Ｗである。主波長は、５６６．２ｎｍである。ピーク波長は、６２５．９ｎｍである。一般的なＣＲＩは、９３．６７である。色温度は４８９７Ｋである。１９３１座標（２度）は、ｘ：０．３５１６、ｙ：０．３８７４である。放射ワット毎の照明出力は、３２３ルーメン／放射ワットである。
【００４４】
別の実施形態において、一般的な照明構成において、３８０ｎｍ〜４８５ｎｍ範囲における青色成分の強度レベルは好適には、４８５ｎｍを超える可視光スペクトルにおける他の任意のピークの相対的スペクトルパワーの約１００％である。別の実施形態において、３８０ｎｍ〜４８５ｎｍ範囲における青色成分の強度レベルは好適には、４８５ｎｍを超える可視光スペクトルにおける他の任意のピークの相対的スペクトルパワーの約１００％未満であるか、約９０％未満であるか、約８０％未満であるか、または約２０％〜約１００％である。演色評価数は好適には、８５を超える。
【００４５】
図１５は、提示される別の実施形態による、ＬＥＤランプの分解図である。図１６は、本発明を適用することが可能なさらなる形状因子を示す。例えば、図１６は、ＬＥＤ１６１０のアレイを有するランプ１６００を示す。ＬＥＤ１６１０は、上述したように、３：３：２：１比のシアン：ミント：赤色／オレンジ色：青色において設けられ得る。
【００４６】
別の実施形態において、ＬＥＤ１６１０は、上述したように、３：３：２：３比のシアン：ミント：赤色：青色において設けられ得る。これらのＬＥＤは、支持フレーム１６２０上に取り付けられる。支持フレーム１６２０は、ヒートシンクとして機能し得る。ＬＥＤ回路構成１６３０を用いて、適切な駆動電流でＬＥＤ１６１０を駆動して、２つ以上の出力構成（例えば、睡眠前照明構成、位相シフト照明構成および一般的な照明構成）を達成する。出力選択コントローラ１６４０（および関連付けられたノブ）を設けることにより、エンドユーザが所望の出力構成を選択することが可能になる。光学素子１６５０をＬＥＤ１６１０の前方に設けることにより、拡散効果が得られる。例えば図示のようなネジおよび／またはナットおよびボルトによりコンポーネントを締結することにより、形状因子を完成させることができる。
【００４７】
さらなる実施形態
【００４８】
図１６、図１７および図１８は、本発明の一実施形態によるＬＥＤランプの睡眠前照明構成、位相シフト照明構成および一般的な照明構成にそれぞれ対応するパワースペクトル分布を示す。この実施形態において、ＬＥＤランプは、シアンダイ、ミントダイ赤色ダイおよび青色ダイの比がそれぞれ３：３：２：３であるＬＥＤ基板を含む。以下に述べるような複数のダイから放射束を生成することにより、各構成によるランプのスペクトル出力を調節する。
【００４９】
図１６は、提示される別の実施形態による、ＬＥＤランプＩＩＩの睡眠前構成のパワースペクトル分布を示す。図１３に示す睡眠前構成は、３：３：２：３比のＬＥＤダイアレイによって生成され、以下のように駆動される：（１）３つのシアンＬＥＤが７．８３Ｖ、９１ｍＡにおいて駆動されて、０．２０４８放射ワットを生成し、（２）３つのミントＬＥＤが９．４２Ｖ、２８８ｍＡ、０．６３４５放射ワットにおいて並列駆動され、（３）２つの赤色／オレンジ色ＬＥＤが４．０７７Ｖ、４９０ｍＡ、０．５４３４放射ワットにおいて駆動される。主波長は、５８１．４ｎｍである。一般的なＣＲＩは、７１である。色温度は、２７１９Ｋである。放射ワット毎の照明出力は、３３１ルーメン／放射ワットである。有効性は、９１ルーメン／ワットである。
【００５０】
図１７は、提示される別の実施形態による、位相シフト構成におけるＬＥＤランプのパワースペクトル分布を示す。図１８に示す位相シフト構成は、３：３：２：３比のＬＥＤダイアレイによって生成され、以下のように駆動される：（１）３つのミントＬＥＤが、１１．２７Ｖ、９８８ｍＡ、１．６７９放射ワットにおいて並列駆動され、（２）２つの赤色／オレンジ色ＬＥＤが３．７８Ｖ、１８０ｍＡ、１．９７１放射において駆動され、（３）３つの青色ＬＥＤが９．０７Ｖ、２９６ｍＡ、０．８７１９放射ワットにおいて駆動される。主波長は、４７６．９ｎｍである。一般的なＣＲＩは、８８である。色温度は、６２３５Ｋである。放射ワット毎の照明出力は、２９８ルーメン／放射ワットである。有効性は、６３ルーメン／ワットである。
【００５１】
図１８は、提示される別の実施形態による、一般的な照明構成におけるＬＥＤランプのパワースペクトル分布を示す。図１９に示す一般的な照明構成は、３：３：２：３比のＬＥＤダイアレイによって生成され、以下のように駆動される：（１）３つのシアンＬＥＤを８．１６Ｖ、２１８ｍＡにおいて駆動して、０．４３３２放射ワットを生成し、（２）３つのミントＬＥＤを１１．２３Ｖ、９７２ｍＡ、１．８６９放射ワットにおいて並列駆動し、（３）２つの赤色／オレンジ色ＬＥＤを３．８９Ｖ、２９５ｍＡ、０．３５２０放射ワットにおいて駆動する。主波長は、５６５。６ｎｍである。一般的なＣＲＩは、９０である。色温度は、４８２８Ｋである。放射ワット毎の照明出力は、３３５ルーメン／放射ワットである。有効性は、６８ルーメン／ワットである。
【００５２】
別の実施形態において、演色評価数が７０を超える生物学的に調節された光出力を生成する、調節可能なＬＥＤランプが提供される。このＬＥＤランプは、ベースと、ベースへ取り付けられたハウジングと、ハウジング内に配置されかつおよびベースへ取り付けられた導線を有する電力回路と、ハウジング内に配置されかつ電力回路へ電気的に接続された駆動回路と、ハウジングの周囲に配置されたヒートシンクとを含む。ＬＥＤランプは、ハウジングへ接続されたサポート上に取り付けられた複数のＬＥＤダイをさらに含む。複数のＬＥＤダイはそれぞれ、駆動回路へ電気的に接続され、駆動回路によって駆動される。複数のＬＥＤダイは、２つの赤色ＬＥＤダイ、３つのシアンＬＥＤダイ、４つのミントＬＥＤダイ、および３つの青色ＬＥＤダイを含む。ＬＥＤランプは、駆動回路へ電気的に接続されて、複数の光出力構成のうちの１つの内部のＬＥＤダイを駆動するように駆動回路をプログラムする出力選択コントローラをさらに含む。複数の光出力構成は、睡眠前構成、位相シフト構成および一般的な照明構成を含む。
【００５３】
出力選択コントローラは、ユーザが光出力構成を選択することを可能にするユーザ入力インターフェースを含み得る。ＬＥＤランプは、光出力構成の選択において考慮される入力変数を提供するように出力選択コントローラへ電気的に接続された入力センサーをさらに含み得る。入力センサーは、熱センサー、光センサーおよび／またはＧＰＳチップであり得る。入力変数は、周辺温度、サポート温度、ＬＥＤダイ温度、ハウジング温度、ランプから生成される光出力、周辺光、日中光サイクル、ランプの位置、予測される周辺光、季節の光サイクル変動、時刻、および任意の組み合わせおよび／またはその均等物からなる群から選択され得る。
【００５４】
睡眠前構成において、駆動回路は、可視スペクトル出力範囲約３８０ｎｍ〜約４８５ｎｍにおける青色出力強度レベルが、約４８５ｎｍを超える可視スペクトル出力中の他の任意のピークの相対的スペクトルパワーの約１０％未満となるように、複数のＬＥＤダイを駆動する。例えば、駆動回路は、約１５０ｍＡの電流がミントＬＥＤダイへ送達され、約３６０ｍＡの電流が赤色ＬＥＤダイへ送達され、約４０ｍＡの電流がシアンＬＥＤダイへ送達されるように、複数のＬＥＤダイを駆動し得る。
【００５５】
位相シフト構成において、駆動回路は、可視スペクトル出力範囲約４５５ｎｍ〜約４８５ｎｍにおける青色出力強度レベルが約４８５ｎｍを超える可視スペクトル出力中の他の任意のピークの相対的スペクトルパワーの約１２５％を超えるように、複数のＬＥＤダイを駆動する。位相シフト構成における演色評価数は、８０を超え得る。例えば、駆動回路は、約５１０ｍＡの電流がミントＬＥＤダイへ送達され、約１８０ｍＡの電流が赤色ＬＥＤダイへ送達され、約４０ｍＡの電流がシアンＬＥＤダイへ送達され、約１００ｍＡの電流が青色ＬＥＤダイへ送達されるように、複数のＬＥＤダイを駆動し得る。
【００５６】
一般的な照明構成において、駆動回路は、可視スペクトル出力範囲約３８０ｎｍ〜約４８５ｎｍにおける青色出力強度レベルが、約４８５ｎｍを超える可視スペクトル出力中の他の任意のピークの相対的スペクトルパワーの約１００％〜約２０％に収まるように、複数のＬＥＤダイを駆動する。一般的な照明構成における演色評価数は、８５を超え得る。例えば、駆動回路は、約４５０ｍＡの電流がミントＬＥＤダイへ送達され、約２３０ｍＡの電流が赤色ＬＥＤダイへ送達され、約１１０ｍＡの電流がシアンＬＥＤダイへ送達され、約６０ｍＡの電流が青色ＬＥＤダイへ送達されるように、複数のＬＥＤダイを駆動し得る。
【００５７】
別の実施形態において、ＬＥＤランプが提供される。このＬＥＤランプは、ハウジングと、ハウジング内に配置されかつ電力源へ電気的に接続するように構成された駆動回路と、ハウジングへ接続されたサポート上に取り付けられた複数のＬＥＤダイとを含む。複数のＬＥＤダイはそれぞれ、駆動回路へ電気的に接続されかつ駆動回路によって駆動される。ＬＥＤランプは、駆動回路へ電気的に接続されて、複数の光出力構成のうちの１つの内部のＬＥＤダイを駆動するように駆動回路をプログラムする出力選択コントローラをさらに含む。出力選択コントローラはまた、ユーザが光出力構成を選択することを可能にするユーザ入力インターフェースを含み得る。
【００５８】
複数の光出力構成は、睡眠前構成と、一般的な照明構成とを含む。複数の光出力構成は、位相シフト構成をさらに含み得る。複数のＬＥＤダイは、赤色ＬＥＤダイ、シアンＬＥＤダイ、ミントＬＥＤダイおよび青色ＬＥＤダイを含み得る。赤色ＬＥＤダイ／シアンＬＥＤダイ／ミントＬＥＤダイ／青色ＬＥＤダイの比率はそれぞれ、２：３：：３である。ＬＥＤランプは、演色評価数が７０を超える生物学的に調節された光出力を生成するように調節可能であり得る。
【００５９】
ＬＥＤランプは、光出力構成の選択において考慮される入力変数を提供するように出力選択コントローラへ電気的に接続された入力センサーをさらに含み得る。入力センサーは、熱センサー、光センサーおよび／またはＧＰＳチップであり得る。入力変数は、周辺温度、サポート温度、ＬＥＤダイ温度、ハウジング温度、ランプから生成される光出力、周辺光、日中光サイクル、ランプの位置、予測される周辺光、季節の光サイクル変動、時刻、および任意の組み合わせおよび／またはその均等物からなる群から選択され得る。
【００６０】
睡眠前構成において、駆動回路は、可視スペクトル出力範囲約３８０ｎｍ〜約４８５ｎｍにおける青色出力強度レベルが約４８５ｎｍを超える可視スペクトル出力中の他の任意のピークの相対的スペクトルパワーの約１０％未満となるように、複数のＬＥＤダイを駆動する。例えば、駆動回路は、約１５０ｍＡの電流がミントＬＥＤダイへ送達され、約３６０ｍＡの電流が赤色ＬＥＤダイへ送達され、約４０ｍＡの電流がシアンＬＥＤダイへ送達されるように、複数のＬＥＤダイを駆動し得る。
【００６１】
位相シフト構成において、駆動回路は、可視スペクトル出力範囲約４５５ｎｍ〜約４８５ｎｍにおける青色出力強度レベルが、約４８５ｎｍを超える可視スペクトル出力中の他の任意のピークの相対的スペクトルパワーの約１２５％を上回る（かまたは約１５０％を上回るかまたは約２００％を上回る）ように、複数のＬＥＤダイを駆動する。位相シフト構成における演色評価数は、８０を超え得る。例えば、駆動回路は、約５１０ｍＡの電流がミントＬＥＤダイへ送達され、約１８０ｍＡの電流が赤色ＬＥＤダイへ送達され、約４０ｍＡの電流がシアンＬＥＤダイへ送達され、約１００ｍＡの電流が青色ＬＥＤダイへ送達されるように、複数のＬＥＤダイを駆動する。
【００６２】
一般的な照明構成において、駆動回路は、可視スペクトル出力範囲約３８０ｎｍ〜約４８５ｎｍにおける青色出力強度レベルが約４８５ｎｍを超える可視スペクトル出力中の他の任意のピークの相対的スペクトルパワーの約１００％〜約２０％以内となるように、複数のＬＥＤダイを駆動する。一般的な照明構成における演色評価数は、８５を超え得る。例えば、駆動回路は、約４５０ｍＡの電流がミントＬＥＤダイへ送達され、約２３０ｍＡの電流が赤色ＬＥＤダイへ送達され、約１１０ｍＡの電流がシアンＬＥＤダイへ送達され、約６０ｍＡの電流が青色ＬＥＤダイへ送達されるように、複数のＬＥＤダイを駆動し得る。
【００６３】
別の実施形態において、演色評価数が７０を超える、生物学的に調節された光出力を生成する、調節可能なＬＥＤランプが提供される。このＬＥＤランプは、ベースと、ベースへ取り付けられたハウジングと、ハウジング内に配置されかつおよびベースへ取り付けられた導線を有する電力回路と、ハウジング内に配置されかつ電力回路へ電気的に接続された駆動回路と、ハウジングの周囲に配置されたヒートシンクと、ハウジングへ接続されたサポート上に取り付けられた複数のＬＥＤダイとを含む。複数のＬＥＤダイはそれぞれ、駆動回路へ電気的に接続されかつ駆動回路によって駆動される。複数のＬＥＤダイは、一定比率の２つの赤色／オレンジ色ＬＥＤダイと、３つのシアンＬＥＤダイと、３つのミントＬＥＤダイと、１つの青色ＬＥＤダイとを含み、駆動回路へ電気的に接続されて、複数の光出力構成のうちの１つの内部のＬＥＤダイを駆動するように駆動回路をプログラムする出力選択コントローラを含む。複数の光出力構成は、睡眠前構成、位相シフト構成および一般的な照明構成を含む。睡眠前構成において、駆動回路は、約９５０ｍＡの電流がミントＬＥＤダイへ送達され、約１，０００ｍＡの電流が赤色／オレンジ色ＬＥＤダイへ送達され、約６５ｍＡの電流がシアンＬＥＤダイへ送達され、約３０ｍＡの電流が青色ＬＥＤダイへ送達されるように、複数のＬＥＤダイを駆動し得る。位相シフト構成において、駆動回路は、約９５０ｍＡの電流がミントＬＥＤダイへ送達され、約１５０ｍＡの電流が赤色／オレンジ色ＬＥＤダイへ送達され、約２３５ｍＡの電流がシアンＬＥＤダイへ送達され、約５２５ｍＡの電流青色ＬＥＤダイへ送達されるように、複数のＬＥＤダイを駆動し得る。一般的な照明構成において、駆動回路は、約５００ｍＡの電流がミントＬＥＤダイへ送達され、約２５０ｍＡの電流が赤色／オレンジ色ＬＥＤダイへ送達され、約２１０ｍＡの電流がシアンＬＥＤダイへ送達され、約１９０ｍＡの電流が青色ＬＥＤダイへ送達されるように、複数のＬＥＤダイを駆動し得る。他の実施形態において、放射束を変化させかつ所望のスペクトル出力を達成するように、交流を送達することができる。
【００６４】
さらに別の実施形態において、演色評価数が７０を超える、生物学的に調節された光出力を生成する調節可能なＬＥＤランプの製造方法が提供される。この方法は、（ａ）ベースをハウジングに取り付けることと、（ｂ）ハウジング内の電力回路のリード線をベースへ電気的に接続することと、（ｃ）ハウジング内に配置された駆動回路を電力回路へ電気的に接続することと、（ｄ）複数のＬＥＤダイそれぞれが駆動回路へ電気的に接続されかつ駆動回路によって駆動されるように、複数のＬＥＤダイをハウジングへ接続されたサポート上へ取り付けることであって、複数のＬＥＤダイは、２つの赤色ＬＥＤダイ、３つのシアンＬＥＤダイ、４つのミントＬＥＤダイおよび３つの青色ＬＥＤダイを含む、ことと、（ｅ）複数の光出力構成のうちの１つの内部のＬＥＤダイを駆動するように駆動回路を構成することであって、複数の光出力構成は、睡眠前構成、位相シフト構成および一般的な照明構成を含む、こととを含む。
【００６５】
この方法は、（ｆ）可視スペクトル出力範囲約３８０ｎｍ〜約４８５ｎｍにおける青色出力強度レベルが約４８５ｎｍを超える可視スペクトル出力中の他の任意のピークの相対的スペクトルパワーの約１０％を下回るように、複数のＬＥＤダイを駆動するように駆動回路を構成すること、（ｇ）可視スペクトル出力範囲約４５５ｎｍ〜約４８５ｎｍにおける青色出力強度レベルが約４８５ｎｍを超える可視スペクトル出力中の他の任意のピークの相対的スペクトルパワーの約１２５％を上回るように、複数のＬＥＤダイを駆動するように駆動回路を構成すること、および／または（ｈ）可視スペクトル出力範囲約３８０ｎｍ〜約４８５ｎｍにおける青色出力強度レベルが、ｉｓｂｅｔｗｅｅｎ約４８５ｎｍを超える可視スペクトル出力中の他の任意のピークの相対的スペクトルパワーの約１００％〜約２０％以内となるように複数のＬＥＤダイを駆動するように駆動回路を構成すること、をさらに含み得る。
【００６６】
この方法は、（ｉ）約１５０ｍＡの電流がミントＬＥＤダイへ送達され、約３６０ｍＡの電流が赤色ＬＥＤダイへ送達され、約４０ｍＡの電流がシアンＬＥＤダイへへ送達されるように、複数のＬＥＤダイを駆動するように駆動回路を構成すること、Ｕ）約５１０ｍＡの電流がミントＬＥＤダイへ送達され、約１８０ｍＡの電流が赤色ＬＥＤダイへ送達され、約４０ｍＡの電流がシアンＬＥＤダイへ送達され、約１００ｍＡの電流が青色ＬＥＤダイへ送達されるように、複数のＬＥＤダイを駆動するように駆動回路を構成すること、および／または（ｋ）約４５０ｍＡの電流がミントＬＥＤダイへ送達され、約２３０ｍＡの電流が赤色ＬＥＤダイへ送達され、約１１０ｍＡの電流がシアンＬＥＤダイへ送達され、約６０ｍＡの電流が青色ＬＥＤダイへ送達されるように、複数のＬＥＤダイを駆動するように駆動回路を構成すること、をさらに含み得る。
【００６７】
別の実施形態において、ＬＥＤランプが提供される。このＬＥＤランプは、ハウジングと、ハウジング内に配置されかつ電力源へ電気的に接続するように構成された駆動回路と、ハウジングへ接続されたサポート上に取り付けられた複数のＬＥＤダイであって、複数のＬＥＤダイはそれぞれ、駆動回路へ電気的に接続されかつ駆動回路によって駆動される、複数のＬＥＤダイと、駆動回路へ電気的に接続されて、複数の光出力構成のうちの１つの内部のＬＥＤダイを駆動するように駆動回路をプログラムする出力選択コントローラであって、複数の光出力構成は、睡眠前構成および一般的な照明構成を含む、出力選択コントローラとを含む。複数のＬＥＤダイは、赤色／オレンジ色ＬＥＤダイ、シアンＬＥＤダイ、ミントＬＥＤダイ、および青色ＬＥＤダイを含む。複数のＬＥＤダイは、赤色／オレンジ色ＬＥＤダイ、シアンＬＥＤダイ、ミントＬＥＤダイおよび青色ＬＥＤダイそれぞれの間の比が２：３：３：１である。
【００６８】
別の実施形態において、演色評価数が７０を超える、生物学的に調節された光出力を生成する、調節可能なＬＥＤランプの製造方法が提供される。この方法は、ベースをハウジングに取り付けることと、ハウジング内の電力回路のリード線をベースへ電気的に接続することと、ハウジング内に配置された駆動回路を電力回路へ電気的に接続することと、複数のＬＥＤダイそれぞれが駆動回路へ電気的に接続されかつ駆動回路によって駆動されるように複数のＬＥＤダイをハウジングへ接続されたサポート上に取り付けることであって、複数のＬＥＤダイは、２つの赤色／オレンジ色ＬＥＤダイ、３つのシアンＬＥＤダイ、３つのミントＬＥＤダイ、および１つの青色ＬＥＤダイを含む、ことと、複数の光出力構成のうちの１つの内部のＬＥＤダイを駆動するように駆動回路を構成することであって、複数の光出力構成は、睡眠前構成、位相シフト構成および一般的な照明構成を含む、こととを含む。睡眠前構成において、方法は、約９５０ｍＡの電流がミントＬＥＤダイへ送達され、約１，０００ｍＡの電流が赤色／オレンジ色ＬＥＤダイへ送達され、約６５ｍＡの電流がシアンＬＥＤダイへ送達され、約３０ｍＡの電流が青色ＬＥＤダイへ送達されるように、複数のＬＥＤダイを駆動するように駆動回路を構成することをさらに含み得る。位相シフト構成において、方法は、約９５０ｍＡの電流がミントＬＥＤダイへ送達され、約１５０ｍＡの電流が赤色ＬＥＤダイへ送達され、約２３５ｍＡの電流がシアンＬＥＤダイへ送達され、約５２５ｍＡの電流が青色ＬＥＤダイへ送達されるように、複数のＬＥＤダイを駆動するように駆動回路を構成することをさらに含み得る。一般的な照明構成において、方法は、約５００ｍＡの電流がミントＬＥＤダイへ送達され、約２５０ｍＡの電流が赤色ＬＥＤダイへ送達され、約２１０ｍＡの電流がシアンＬＥＤダイへ送達され、約１９０ｍＡの電流が青色ＬＥＤダイへ送達されるように、複数のＬＥＤダイを駆動するように駆動回路を構成することをさらに含み得る。
【００６９】
他のダイ構成または現在のスキームを用いて、生物学的に調節された光を生成するＬＥＤランプの所望のスペクトル出力を達成することが可能であることが、当業者にとって明らかである。
【００７０】
結論
【００７１】
本発明の上記記載は、例示および説明目的のために記載されたものであり、網羅的な記載または本発明を開示の形態そのものに限定することを意図していない。上記の教示から、他の改変および変更が可能である。実施形態は、本発明の原理およびその実行を最良に説明することにより、当業者が本発明を多様な実施形態および多様な改変例において企図された特定の意図に適した形態で最良に利用することが可能なように選択よび記述されたものである。添付の特許請求の範囲は、本発明の他の代替的実施形態（例えば、均等な構造、成分、方法および手段）を含むものとして解釈されるべきであることが意図される。
【００７２】
特許請求の範囲の解釈の際には、要旨および要約ではなく、詳細な説明が用いられるべきであることが理解される。要旨および要約部分は、本発明者（単数または複数）によって企図される１つ以上の例示的実施形態を記載し得るが、本発明の例示的実施形態全ては記載し得ないため、本発明および添付の特許請求の範囲をいかようにも限定することを意図していない。
【図１】
0006283880.tif 000003
【図２】
0006283880.tif 000004
【図３】
0006283880.tif 000005
【図４】
0006283880.tif 000006
【図５】
0006283880.tif 000007
【図６】
0006283880.tif 000008
【図７】
0006283880.tif 000009
【図８】
0006283880.tif 000010
【図９】
0006283880.tif 000011
【図１０Ａ】
0006283880.tif 000012
【図１０Ｂ】
0006283880.tif 000013
【図１１】
0006283880.tif 000014
【図１２】
0006283880.tif 000015
【図１３】
0006283880.tif 000016
【図１４】
0006283880.tif 000017
【図１５】
0006283880.tif 000018
【図１６】
0006283880.tif 000019
【図１７】
0006283880.tif 000020
【図１８】
0006283880.tif 000021